【事件の表示】
　特願２００２−３１７４５７「情報表示方法および情報表示システムとプログラム」拒絶査定不服審判事件〔平成１６年　５月２７日出願公開，特開２００４−１５２０７４〕について，次のとおり審決する。
【結　論】
　本件審判の請求は，成り立たない。
【理　由】
　
第１　手続の経緯    
　本願は，平成１４年１０月３１日の出願であって，平成１８年３月２８日付けで拒絶査定がされ，これに対し，平成１８年５月８日に審判の請求がされるとともに，同日に手続補正書が提出されたものである。
　
　
第２　平成１８年５月８日に提出された手続補正書による補正（以下「本件補正」という。）についての補正却下の決定
　
〔補正却下の決定の結論〕
　本件補正を却下する。
　
〔理由〕
１　本件補正は，特許請求の範囲を補正するものであり，本件補正前の請求項１を，補正後の請求項１に補正する補正内容を含むものであるところ，本件補正の前後の請求項１の記載は，次のとおりである。なお，【】は，補正前後の対応関係が分かるように当審で付加したものである。
　
《補正前の請求項１》
　
「情報配信サーバによりネットワークを介して配信された情報を，利用者端末に表示された情報表示画面上に表示するための情報表示方法において，
　利用者端末に表示される前記情報表示画面を上位レイヤと下位レイヤとの２つのレイヤにより構成し，【下位レイヤに表示された情報が】表示されないように，【下位レイヤに表示された情報に関する内容の上位レイヤ表示】を該【下位レイヤ表示の上】に重ねるようにして【情報表示画面を構成し】，前記上位レイヤ表示に対して特定の操作が行われることにより，前記下位レイヤ表示の内容が表示されることを特徴とする情報表示方法。」
　
《補正後の請求項１》
　
「情報配信サーバによりネットワークを介して配信された情報を，利用者の端末に表示された情報表示画面上に表示するための情報表示方法において，
　利用者端末に表示される前記情報表示画面を上位レイヤと下位レイヤとの２つのレイヤにより構成し，前記利用者から表示を要求された前記【下位レイヤが】表示されないように，前記【上位レイヤ】を該【下位レイヤ】に重ねるようにして【表示し】，前記上位レイヤ表示に対して特定の操作が行われることにより，前記下位レイヤ表示の内容が表示されることを特徴とする情報表示方法。」
　
２　審判請求時に特許請求の範囲についてする補正は，請求項の削除，請求の範囲の限定的減縮，誤記の訂正，明りょうでない記載の釈明を目的とするものに限られる（特許法１７条の２第４項１〜４号）。そこで，上記補正内容が，これらの補正目的に適合するかについて，以下，検討する。
　
（１）本件補正により，補正前の「【下位レイヤに表示された情報が】表示されないように」との記載が，「【下位レイヤが】表示されないように」と補正され，また，補正前の「【下位レイヤに表示された情報に関する内容の上位レイヤ表示】を該【下位レイヤ表示の上】に重ねるようにして【情報表示画面を構成し】」との記載が，「【上位レイヤ】を該【下位レイヤ】に重ねるようにして【表示し】」と補正された。
　この補正により，補正前は，
「【下位レイヤに表示された情報】に関する内容の【上位レイヤ表示】を，【下位レイヤ表示】の上に重ねるようにして【情報表示画面を構成し】」
　とされていたものが，
「【下位レイヤ】が表示されないように，【上位レイヤ】を【下位レイヤ】に重なるように【表示し】」
　という内容に変更された。
　敷えんすると，本件補正により，「下位レイヤに表示された特定の情報の部分が表示されないように，上位レイヤ表示を重ねる」という意味だったものが，「下位レイヤが表示されないように上位レイヤを下位レイヤに重ねる」という意味に変更された。
　
（２）ところで，「レイヤ」について，本願明細書には，次の記載がある。
「図２は画面表示部３０７と最初に表示されるウェブページの一例であり，上位レイヤ１０１，１０２，１０３と，下位レイヤ（図１中のその他の部分（審決注：「図１」とあるのは，「図２」の誤記と認める。））から構成されている。」（段落【００４４】）
　この記載と図２からすると，下位レイヤとは，上位レイヤの下にあるレイヤ全体を指すものと理解できる。
　そうすると，本件補正は，重ねる上下の対象を変更するものであり，特許請求の範囲を変更するものであることが明らかである。
　
（３）そして，本件補正前の請求項１の記載は，それ自体で内容が理解できるから，本件補正は，明りょうでない記載の釈明や，誤記の訂正を目的とする補正にも当たらず，特許法１７条の２第４項に規定するいずれの補正目的にも該当しない。
　
３　したがって，本件補正は，平成１８年法律第５５号改正附則３条１項によりなお従前の例によるとされる同法による改正前の特許法１７条の２第４項の規定に違反するので，同法１５９条１項において読み替えて準用する同法５３条１項の規定により却下すべきものである
　
　
第３　本願発明の容易想到性について
１　本願発明
　上記第２のとおり，本件補正は却下されたので，本願の特許請求の範囲の請求項１に係る発明（以下「本願発明」という。）は，本件補正前の特許請求の範囲の請求項１に記載された次のとおりのものである。
　
「情報配信サーバによりネットワークを介して配信された情報を，利用者端末に表示された情報表示画面上に表示するための情報表示方法において，
　利用者端末に表示される前記情報表示画面を上位レイヤと下位レイヤとの２つのレイヤにより構成し，下位レイヤに表示された情報が表示されないように，下位レイヤに表示された情報に関する内容の上位レイヤ表示を該下位レイヤ表示の上に重ねるようにして情報表示画面を構成し，前記上位レイヤ表示に対して特定の操作が行われることにより，前記下位レイヤ表示の内容が表示されることを特徴とする情報表示方法。」
　
２　引用例の記載と引用発明
（１）原査定の拒絶の理由に引用された，本願の出願日前に頒布された刊行物である特開２００２−１８９８３５号公報（以下「引用例」という。）には，図とともに，次の記載がある（下線は当審で付加）。
　
ア　発明の課題等
・「【０００１】【発明の属する技術分野】
この発明は不特定の利用者コンピュータに広告コンテンツを送付するサービスにおける広告管理方法に関する
・【０００４】【発明が解決しようとする課題】広告主は，アクセス数の多いＷｅｂページを広告媒体として使用し，広告コンテンツが利用者に閲覧される確率を上げようとする。一方，広告受容者にとっては，自身がインターネット上に展示するＷｅｂページ（受容者ページ）により多くのバナーや広告文（広告窓口）を掲載して，より多くの広告収入を得ようと考える。
【０００５】しかし，
広告窓口がＷｅｂページの紙面の多くを占めれば，このＷｅｂページ自体が提供するコンテンツの掲載スペースが相対的に減少することになる
多くのアクセス実績を持つ受容者ページは，このページ自体が提供するコンテンツが魅力的なのであって，その魅力を維持しようとすれば，広告窓口のスペースを削らざるを得ない
多くの広告窓口を掲載すれば，受容者ページ本来の情報掲載量が低下して魅力が薄れてアクセス数が減少する
このように，Ｗｅｂページを紙面とした広告形態では，その宣伝効果に限りがある
【０００６】
確かに，受容者ページ中にＪＡＶＡ（登録商標）スクリプトなどによる制御文を記述したり，ＪＡＶＡアプレットなどのブログラム本体を受容者ページとともに利用者コンピュータに送付したりすることで，受容者ページ本体とは別の画面に広告コンテンツや広告窓口を表示する「ポップアップ広告」を採用すれば，受容者ページ本来の情報を削ることなく，多くの広告窓口を表示することができる
しかし，受容者ページの閲覧最中にはその閲覧を妨害するように表示されるため，利用者にとってはうっとうしく感じる。そのため，利用者がポップアップ広告の画面をその表示直後に閉じる場合も多い
・「【０００９】
そこで本発明は，利用者のＷｅｂページ閲覧を邪魔せずに広告コンテンツを提示するとともに，提示した広告コンテンツにおける実質的な宣伝効果を算出するための広告管理方法を提供することを目的としている
　
イ　発明の実施の形態　
・「【００１５】【発明の実施の形態】＝＝＝ネットワーク構成＝＝＝
図１はインターネットの概略構成図を示している。インターネットには不特定多数の利用者コンピュータ２０やその利用者コンピュータ２０に対して種々のサービスを提供するＷＷＷサーバーなどのホストコンピュータ１０とが有機的に接続されている
本発明の本質である広告管理装置１０ａもホストコンピュータ１０の一つであり，この実施例ではＷＷＷサーバーとしての基本機能を有している
利用者コンピュータ２０に広告コンテンツをタイミング良く配信するとともに，配信した広告コンテンツの宣伝効果を合理的に判定する情報処理を実行する
・「【００２０】＜受容者ページ＞
広告受容者がインターネット上に展示したＷｅｂページであり，このページが送達された利用者コンピュータにおいて実行される広告要求プログラムとイベント報告プログラムとを付帯している
本実施例において，これらのプログラムは，広告代理機関よりＪＡＶＡスクリプトとして提供される。そして，広告受容者がそのスクリプトを受容者ページのＨＴＭＬ文書中に挿入することとしている
れらのプログラムをＪＡＶＡアプレットとして用意しておき，受容者ページ中でそのアプレットを定義することで付帯させることもできる
【００２１】＝＝＝通信手順・情報処理手順＝＝＝
図２は，広告管理装置１０ａ・利用者コンピュータ２０・受容者ページ掲載サイト１０ｂ間における通信手順と，各コンピュータにおいて実行される情報処理とを概略図として示している。
【００２２】＜受容者ページの送達＞
ある利用者コンピュータ２０のブラウザが受容者ページのＵＲＬを含んだＨＴＴＰリクエストをインターネット上に送出する
受容者ページ掲載サイト１０ｂはこの利用者コンピュータ２０に受容者ページを送達する
ブラウザはこのページのＨＴＭＬを解釈して受容者ページを閲覧可能に表示出力する
【００２３】＜広告要求プログラム＞
前記受容者ページには広告要求プログラムが付帯している
ブラウザは，ＨＴＭＬ文書中のこのプログラムスクリプトを解釈・実行する
受容者ページに関連する情報を含んだ広告コンテンツの送付要求（広告要求電文）を広告管理装置１０ａに送出する
【００２４】＜広告コンテンツ送付プロセス＞広告管理装置１０ａに利用者コンピュータ２０からの広告要求電文が送達される（ｓ４）。広告要求電文により指定されたＣＧＩは，広告コンテンツを適宜に選出し（ｓ５），そのコンテンツを利用者コンピュータに送付する（ｓ７）処理を実行する。広告コンテンツは，ランダムに選出したり，あらかじめ送付順番を設定したスケジュールに則って選出したりすることも可能であるが，本実施例では，データベースによって受容者情報中のカテゴリと広告主情報中の業種などに応じて，特定の受容者と特定の広告主との対応付けが管理されており，送達された広告要求電文に含まれる受容者ページの所在によって受容者を特定し，その受容者に対応付けされている広告主から受託した広告コンテンツを送付対象として選出することとしている。そして，選出した広告コンテンツをデータベースより取り出して利用者コンピュータ２０に送付する。」
・「【００２６】＜広告コンテンツの送達＞
この実施例では，利用者コンピュータ２０に送達された広告コンテンツがＷｅｂページや動画／静止画データである場合，受容者ページの表示画面とは別画面の「ポップアップ広告」として利用者コンピュータ２０に表示される
広告コンテンツの表示形式としては，受容者ページの画面が広告コンテンツの画面に切り替わる「全画面表示」形式としてもよい
【００２７】＜イベント報告プログラム＞
広告コンテンツの送達に応動して，受容者ページに付帯しているイベント報告プログラムが起動する
イベント報告プログラムは，広告コンテンツが利用者コンピュータ２０にて表示されていたり音声出力されてる起動継続時間を計測するとともに，広告コンテンツの起動中になされる利用者入力（マウスポインタの移動操作，クリック操作，キーボード入力など）をイベント情報として取得し，広告コンテンツの表示画面を閉じたり，出力音声を停止させたりするなど，広告コンテンツを対象とした所定の利用者入力に応動して前記起動継続時間と前記イベント情報とを含んだ広告視聴報告電文を広告管理装置１０ａに送付する
　
ウ　発明の効果
・「【００４５】【発明の効果】本発明によれば，受容者ページを取り寄せた利用者コンピュータにおける操作状態が所定時間以上継続した場合に，広告コンテンツを送付することとしている。そのため，利用者コンピュータにおいて，所定時間以上何ら操作がされなかった場合など，受容者ページが利用者に閲覧されていないと思われる状態を広告コンテンツの送付条件に設定することも可能となる。したがって，利用者によるＷｅｂページの閲覧作業を邪魔せずに広告コンテンツを提示することができる。」
　
（２）引用発明
　以上の記載によれば，引用例には，
　
「ＷＷＷサーバによりネットワークを介して配信された情報を，利用者コンピュータに表示された画面上に表示するものにおいて，
　利用者コンピュータに表示される「受容者ページ」の表示画面上に，広告ディジタルコンテンツを，受容者ページに少なくとも一部重ねて「ポップアップ広告」等として表示させ，当該ポップアップ広告の起動中になされる利用者の入力に応動して，ポップアップ広告を閉じるようした表示方法。」（以下「引用発明」という。）
　が記載されているといえる。
　なお，引用例の段落【０００６】の「
受容者ページの閲覧最中にはその閲覧を妨害するように表示されるため，利用者にとってはうっとうしく感じる。そのため，利用者がポップアップ広告の画面をその表示直後に閉じる場合も多い
　
３　本願発明と引用発明の対比
（１）ア　引用発明の「ＷＷＷサーバ」，「利用者コンピュータ」は，それぞれ，本願発明の「情報配信サーバ」，「利用者端末」に相当する。
　　　イ　引用発明における，利用者コンピュータに表示される「受容者ページ」と，それに一部重ねて表示される「ポップアップ広告」は，それぞれ，本願発明の「下位レイヤ」，「上位レイヤ」に相当する。
　　　ウ　引用発明における「広告コンテンツの起動中になされる利用者入力」は，引用例の段落【００２７】の記載によれば，ポップアップ広告に対するクリック操作などを含むものと理解できるから，本願発明の「上位レイヤ表示に対して特定の操作が行われること」に相当する。
　　　エ　引用発明も，受容者ページとポップアップ広告により，「情報表示画面」が構成されるものである。
　　
（２）そうすると，本願発明と引用発明の一致点及び相違点は，次のとおりとなる。
　
《一致点》
「情報配信サーバによりネットワークを介して配信された情報を，利用者端末に表示された情報表示画面上に表示するための情報表示方法において，
　利用者端末に表示される前記情報表示画面を上位レイヤと下位レイヤとの２つのレイヤにより構成し，上位レイヤ表示を該下位レイヤ表示の上に重ねるようにして情報表示画面を構成し，前記上位レイヤ表示に対して特定の操作が行われることにより，前記上位レイヤが閉じられることを特徴とする情報表示方法。」
　
《相違点》　
ア　相違点１
　本願発明では，「下位レイヤに表示された情報が表示されないように，下位レイヤに表示された情報に関する内容の上位レイヤ表示を当該下位レイヤ表示の上に重ねるように」されているのに対し，引用発明は，上位レイヤの表示（ポップアップ広告）が下位レイヤの表示を妨害するものであることまでは認識しているものの，本願発明のように，積極的に，下位レイヤに表示された情報に関する内容の上位レイヤ表示を当該下位レイヤ表示の上に重ねるように表示するものでない点。
　
イ　相違点２
　本願発明は，「上位レイヤ表示に対して特定の操作が行われることにより，前記下位レイヤ表示の内容が表示される」ものであるのに対し，引用発明では，上位レイヤが閉じられることに伴い，結果的に，重なっていた下位レイヤ表示の内容が表示されることになるものの，相違点１において述べたように，引用発明は積極的に下位レイヤに表示された情報に関する内容の上位レイヤ表示を当該下位レイヤ表示の上に重ねるものではないため，必ずしも，「前記下位レイヤ表示の内容が表示される」とは限らない点。
　
４　相違点についての検討
（１）相違点１について
　引用例の段落【０００６】の「受容者ページの閲覧最中にはその閲覧を妨害するように表示されるため，利用者にとってはうっとうしく感じる。そのため，利用者がポップアップ広告の画面をその表示直後に閉じる場合も多い。」との記載から理解できるように，引用発明は，ポップアップ広告が，受容者ページ（下位レイヤ）に表示された情報の妨げになるという認識を背景にしている。これは受容者ページの利用者の側に立った見方であり，逆に，広告を提供する立場などからすると，見たい情報に重ねるように広告の表示をすることにより，利用者の関心を引き，広告効果を高めることができることを想起させる。
　そして，画面を上位レイヤと下位レイヤで構成するに際して，両者の位置関係や重なり具合は，周知の技術により，自由に設定することができ（本願明細書の段落【００４０】，【００４１】の記載，及び，拒絶査定に引用された「ポップアップウインドウを安全にコントロールする」ＷｅｂＤｅｓｉｇｎｉｎｇ，ＭａｃＦａｎ６月１０号別冊，株式会社毎日コミュニケーションズ（２００１年６月１０日）９巻１２号８６〜８９頁の記載。このほか，「ＨＴＭＬデザインの手法２０」ＭｄＮ２００１年５月号，ＭｄＮ株式会社（２００１年５月１日）５０〜６４頁の記載。），この点に，解決すべき課題や技術的困難は存在しない。　　
　そうすると，引用発明に接した当業者が，広告を提供する立場などから，「下位レイヤに表示された情報が表示されないように，下位レイヤに表示された情報に関する内容の上位レイヤ表示を当該下位レイヤ表示の上に重ねるように」することは，容易になし得たことといえる。
　したがって，相違点１に係る構成とすることは，当業者が容易に想到し得たことである。
　
（２）相違点２について
　相違点１に係る構成を備えた場合，上位レイヤが閉じられると，「前記下位レイヤ表示の内容が表示される」こととなるから，必然的に，相違点２に係る構成も併せて備えたものとなる。
　
（３）したがって，引用発明に接した当業者は，相違点１，２に係る構成に容易に到達することができたといえるから，本願発明は，引用発明に基づいて当業者が容易に発明をすることができたものである。
　
５　結言
　以上のとおり，本願発明は，引用発明に基づいて当業者が容易に発明をすることができたものであるから，特許法２９条２項の規定により，特許を受けることができない。
　
　よって，結論のとおり審決する。